(57)【要約】【課題】自動車の盗難防止システムを提供する。【解決手段】盗難防止ホスト機、盗難防止リモコンを含む。該盗難防止ホスト機はそれぞれ少なくとも１個のセンサー部品、少なくとも１個の警報装置と電気的に接続し、該盗難防止ホスト機は盗難防止モード、非盗難防止モードの内の１個に設定され、しかも該盗難防止ホスト機は記憶ユニットを含む。該記憶ユニットは盗難防止レベル設定対照表を保存し、該盗難防止レベル設定対照表は少なくとも２つの盗難防止レベルを記載し、各１個盗難防止レベルは少なくとも１個の敏感度設定値を包含し、該少なくとも１個のセンサー部品に対応し、該少なくとも１個のセンサー部品が対応する盗難防止レベル時の臨界作動値を定義する。該盗難防止リモコンは少なくとも１個の制御ボタンを包含し、ある盗難防止レベルを選択可能で、該盗難防止ホスト機が選択した盗難防止レベルの盗難防止モードを設定する。【選択図】図１
2007030863.tif 000002
【特許請求の範囲】
【請求項１】
盗難防止ホスト機、盗難防止リモコンを包含し、
該盗難防止ホスト機はそれぞれ少なくとも１個のセンサー部品、少なくとも１個の警報装置と電気的に接続し、該盗難防止ホスト機は盗難防止モード、非盗難防止モードのいずれかに設定され、しかも該盗難防止ホスト機は記憶ユニットを包含し、該記憶ユニットは盗難防止レベル設定対照表を保存し、該盗難防止レベル設定対照表は少なくとも２つの盗難防止レベルを記載し、各１個盗難防止レベルは少なくとも１個の敏感度設定値を包含し、該少なくとも１個のセンサー部品に対応し、該少なくとも１個のセンサー部品が対応する盗難防止レベル時の臨界作動値を定義し、
該盗難防止リモコンは少なくとも１個の制御ボタンを包含し、ある盗難防止レベルを選択可能で、該盗難防止ホスト機が選択した盗難防止レベルの盗難防止モードを設定することを特徴とする、自動車の盗難防止システム。
【請求項２】
請求項１記載の自動車の盗難防止システムにおいて、少なくとも２つの盗難防止レベルは第一盗難防止レベル、第二盗難防止レベルを包含し、該第一盗難防止レベルの該少なくとも１個の敏感度設定値は該第二盗難防止レベルの少なくとも１個の敏感度設定値より大きいことを特徴とする、自動車の盗難防止システム。
【請求項３】
請求項２記載の自動車の盗難防止システムにおいて、少なくとも２つの盗難防止レベルは第三盗難防止レベルを包含し、前記第二盗難防止レベルの該少なくとも１個の敏感度設定値は該第三盗難防止レベルの少なくとも１個の敏感度設定値より大きいことを特徴とする、自動車の盗難防止システム。
【請求項４】
請求項１記載の自動車の盗難防止システムにおいて、盗難防止リモコンの内の１個の制御ボタンが押されると、該盗難防止リモコンは制御信号を前記盗難防止ホスト機に伝送し、該盗難防止ホスト機は受信した制御信号に基づき、該少なくとも１個のセンサー部品を選択された盗難防止レベルの盗難防止モードに設定することを特徴とする、自動車の盗難防止システム。
【請求項５】
請求項１記載の自動車の盗難防止システムにおいて、盗難防止ホスト機がある盗難防止レベルに設定され、設定時間内に該少なくとも１個の制御ボタンが再び押されなければ、該盗難防止ホスト機は該盗難防止モードに入ることを特徴とする、自動車の盗難防止システム。
【請求項６】
請求項５記載の自動車の盗難防止システムにおいて、少なくとも１個の警報装置はブザーを包含し、該盗難防止ホスト機が該盗難防止モードに入った後に、該少なくとも１個の制御ボタンを押すと、該盗難防止ホスト機は該ブザーを制御し警報音を発し、該盗難防止ホスト機はその盗難防止レベルを変えないことを特徴とする、自動車の盗難防止システム。
【請求項７】
請求項１記載の自動車の盗難防止システムにおいて、少なくとも１個の警報装置はブザーを包含し、該少なくとも１個の制御ボタンが押されると、該盗難防止リモコンは制御信号を該盗難防止ホスト機に送信し、該盗難防止ホスト機は該ブザーを制御し警報音を発することを特徴とする、自動車の盗難防止システム。
【請求項８】
請求項１記載の自動車の盗難防止システムにおいて、記憶ユニットは非揮発性メモリであることを特徴とする、自動車の盗難防止システム。
【請求項９】
請求項１記載の自動車の盗難防止システムにおいて、前記少なくとも１個のセンサー部品は震動センサー、圧力センサー、傾斜センサーの内の１個であることを特徴とする、自動車の盗難防止システム。
【発明の詳細な説明】
【技術分野】
【０００１】
本発明は一種の自動車の盗難防止システムに関する。特に一種の異なる盗難防止レベルに調整可能な自動車の盗難防止システムに係る。
【背景技術】
【０００２】
現在新たに市販される自動車は普通、盗難防止システムを搭載している。該盗難防止システムはリモコン、複数のセンサー部品を接続する盗難防止ホスト機を含む。通常、車の持ち主は車を離れる時、リモコン上の制御ボタンを押し、盗難防止ホスト機を盗難防止モードに設定する。
【０００３】
しかし、現在の盗難防止システムの盗難防止レベルは１種類だけであるため、盗難防止ホスト機と接続するセンサー部品の敏感度は一定である。このため自動車は晴天、雷雨、降雪など各種天候のあらゆる環境に駐車されうるにもかかわらず、自動車に搭載するセンサー部品の敏感度は晴天時には適用可能でも雷雨や豪雨などの天候には適用しない可能性がある。自動車のセンサー部品の敏感度が晴天にしか適用しないため、天候不良時には、露天に駐車される車上の警報器は警報音を発し易くなっている。
【０００４】
さらに、自動車を停車する位置によっても盗難防止レベルへのニーズは違って来る。例えば、自動車が持ち主の家の中に停車されているなら、盗難防止レベルは低くしても構わないが、路上に駐車しているなら、盗難防止レベルは高くしなければならないはずである。
【発明の開示】
【発明が解決しようとする課題】
【０００５】
本発明は使用者の必要に応じて各種の盗難防止レベルを設定可能な自動車の盗難防止システムを提供するものである。
【０００６】
上記課題を解決するため、本発明は下記の自動車の盗難防止システムを提供する、
それは盗難防止ホスト機、盗難防止リモコンを包含し、
該盗難防止ホスト機はそれぞれ少なくとも１個のセンサー部品、少なくとも１個の警報装置と電気的に接続し、該盗難防止ホスト機は盗難防止モード、非盗難防止モードの内の１個に設定され、しかも該盗難防止ホスト機は記憶ユニットを包含し、該記憶ユニットは盗難防止レベル設定対照表を保存し、該盗難防止レベル設定対照表は少なくとも２つの盗難防止レベルを記載し、各１個盗難防止レベルは少なくとも１個の敏感度設定値を包含し、該少なくとも１個のセンサー部品に対応し、該少なくとも１個のセンサー部品が対応する盗難防止レベル時の臨界作動値を定義し、
該盗難防止リモコンは少なくとも１個の制御ボタンを包含し、ある盗難防止レベルを選択可能で、該盗難防止ホスト機が選択した盗難防止レベルの盗難防止モードを設定する。
【０００７】
該少なくとも２つの盗難防止レベルは第一盗難防止レベル、第二盗難防止レベルを包含し、該第一盗難防止レベルの該少なくとも１個の敏感度設定値は該第二盗難防止レベルの少なくとも１個の敏感度設定値より大きく、
該少なくとも２つの盗難防止レベルは第三盗難防止レベルを包含し、該第二盗難防止レベルの該少なくとも１個の敏感度設定値は該第三盗難防止レベルの少なくとも１個の敏感度設定値より大きいのである。
【０００８】
該盗難防止リモコンの内の１個の制御ボタンが押されると、該盗難防止リモコンは制御信号を該盗難防止ホスト機に伝送し、該盗難防止ホスト機は受信した制御信号に基づき、該少なくとも１個のセンサー部品を選択された盗難防止レベルの盗難防止モードに設定し、
該盗難防止ホスト機がある盗難防止レベルに設定され、設定時間内に該少なくとも１個の制御ボタンが再び押されなければ、該盗難防止ホスト機は該盗難防止モードに入る。
【０００９】
該少なくとも１個の警報装置はブザー、ウィンカーを包含し、該盗難防止ホスト機が該盗難防止モードに入った後に、該少なくとも１個の制御ボタンを押すと、該盗難防止ホスト機は該ブザーを制御し警報音を発し、該盗難防止ホスト機はその盗難防止レベルを変えず、
該少なくとも１個の制御ボタンが押されると、該盗難防止リモコンは制御信号を該盗難防止ホスト機に送信し、該盗難防止ホスト機は該ブザーを制御し警報音を発する。
【００１０】
該記憶ユニットはＥＰＲＯＭ、ＥＥＰＲＯＭ、ＯＴＰ  ＲＯＭ、フラッシュメモリ、ＭＡＳＫ  ＲＯＭなどの非揮発性メモリで、
該少なくとも１個のセンサー部品は震動センサー、圧力センサー、傾斜センサーの内の１個であることを特徴とする、自動車の盗難防止システムである。
【課題を解決するための手段】
【００１１】
請求項１の発明は、盗難防止ホスト機、盗難防止リモコンを包含し、
該盗難防止ホスト機はそれぞれ少なくとも１個のセンサー部品、少なくとも１個の警報装置と電気的に接続し、該盗難防止ホスト機は盗難防止モード、非盗難防止モードのいずれかに設定され、しかも該盗難防止ホスト機は記憶ユニットを包含し、該記憶ユニットは盗難防止レベル設定対照表を保存し、該盗難防止レベル設定対照表は少なくとも２つの盗難防止レベルを記載し、各１個盗難防止レベルは少なくとも１個の敏感度設定値を包含し、該少なくとも１個のセンサー部品に対応し、該少なくとも１個のセンサー部品が対応する盗難防止レベル時の臨界作動値を定義し、
該盗難防止リモコンは少なくとも１個の制御ボタンを包含し、ある盗難防止レベルを選択可能で、該盗難防止ホスト機が選択した盗難防止レベルの盗難防止モードを設定することを特徴とする、自動車の盗難防止システムとしている。
請求項２の発明は、請求項１記載の自動車の盗難防止システムにおいて、少なくとも２つの盗難防止レベルは第一盗難防止レベル、第二盗難防止レベルを包含し、該第一盗難防止レベルの該少なくとも１個の敏感度設定値は該第二盗難防止レベルの少なくとも１個の敏感度設定値より大きいことを特徴とする、自動車の盗難防止システムとしている。
請求項３の発明は、請求項２記載の自動車の盗難防止システムにおいて、少なくとも２つの盗難防止レベルは第三盗難防止レベルを包含し、前記第二盗難防止レベルの該少なくとも１個の敏感度設定値は該第三盗難防止レベルの少なくとも１個の敏感度設定値より大きいことを特徴とする、自動車の盗難防止システムとしている。
請求項４の発明は、請求項１記載の自動車の盗難防止システムにおいて、盗難防止リモコンの内の１個の制御ボタンが押されると、該盗難防止リモコンは制御信号を前記盗難防止ホスト機に伝送し、該盗難防止ホスト機は受信した制御信号に基づき、該少なくとも１個のセンサー部品を選択された盗難防止レベルの盗難防止モードに設定することを特徴とする、自動車の盗難防止システムとしている。
請求項５の発明は、請求項１記載の自動車の盗難防止システムにおいて、盗難防止ホスト機がある盗難防止レベルに設定され、設定時間内に該少なくとも１個の制御ボタンが再び押されなければ、該盗難防止ホスト機は該盗難防止モードに入ることを特徴とする、自動車の盗難防止システムとしている。
請求項６の発明は、請求項５記載の自動車の盗難防止システムにおいて、少なくとも１個の警報装置はブザーを包含し、該盗難防止ホスト機が該盗難防止モードに入った後に、該少なくとも１個の制御ボタンを押すと、該盗難防止ホスト機は該ブザーを制御し警報音を発し、該盗難防止ホスト機はその盗難防止レベルを変えないことを特徴とする、自動車の盗難防止システムとしている。
請求項７の発明は、請求項１記載の自動車の盗難防止システムにおいて、少なくとも１個の警報装置はブザーを包含し、該少なくとも１個の制御ボタンが押されると、該盗難防止リモコンは制御信号を該盗難防止ホスト機に送信し、該盗難防止ホスト機は該ブザーを制御し警報音を発することを特徴とする、自動車の盗難防止システムとしている。
請求項８の発明は、請求項１記載の自動車の盗難防止システムにおいて、記憶ユニットは非揮発性メモリであることを特徴とする、自動車の盗難防止システムとしている。
請求項９の発明は、請求項１記載の自動車の盗難防止システムにおいて、前記少なくとも１個のセンサー部品は震動センサー、圧力センサー、傾斜センサーの内の１個であることを特徴とする、自動車の盗難防止システムとしている。
【発明の効果】
【００１２】
上記のように、本発明は自動車オーナーが設定時間内に盗難防止リモコン上の制御ボタンを押す回数を利用し、盗難防止ホスト機を異なる盗難防止レベルの盗難防止モードに設定し、使用者の必要に応じて各種盗難防止レベルの自動車盗難防止システムを提供することができる。
【発明を実施するための最良の形態】
【００１３】
図１に示すように、本発明の盗難防止システムは盗難防止リモコン１、盗難防止ホスト機２１を含む、
該盗難防止リモコン１上には制御ボタン１１、解除ボタン１２、インジケーター１３１、１３２、１３３を設置する、
該盗難防止ホスト機２１は記憶ユニット２１１、アンテナ２１０を包含し、該盗難防止ホスト機２１はそれぞれセンサー部品２２１、２２２、２２３、警報装置２３、２４と電気的に接続する。該盗難防止ホスト機２１、該センサー部品２２１、２２２、２２３、警報装置２３、２４は自動車( 図示なし) に設置する。
【００１４】
該盗難防止ホスト機２１は盗難防止モード或いは非盗難防止モードに設定可能である。例えば、自動車オーナーは該制御ボタン１１を通して該盗難防止ホスト機２１を盗難防止モードに設定可能で、或いは該解除ボタン１２を用い該盗難防止ホスト機２１を非盗難防止モードに設定することもできる。
【００１５】
自動車オーナーが車を離れる時には、該盗難防止リモコン１を用い該盗難防止ホスト機２１を各種盗難防止レベルの盗難防止モードに設定することができる。本実施例中では、該盗難防止ホスト機２１は３種の異なる盗難防止レベルに設定可能で、異なる盗難防止レベルにおいては該センサー部品２２１、２２２、２２３の敏感度もまたそれに従い変化する。
【００１６】
例えば、該盗難防止ホスト機２１は第一盗難防止レベル、第二盗難防止レベル、第三盗難防止レベルに設定され、該第一盗難防止レベルの敏感度の設定値は該第二盗難防止レベルの敏感度の設定値より大きく、該第二盗難防止レベルの敏感度の設定値は第三盗難防止レベルの敏感度の設定値より大きい。すなわち低いレベルの盗難防止レベルは対応する敏感度も低い。よって、第三盗難防止レベルにおいては該センサー部品２２１、２２２、２２３の敏感度は最高である。反対に該第一盗難防止レベルにおいては該センサー部品２２１、２２２、２２３の敏感度は最低である。
【００１７】
他の実施例においては、該センサー部品２２１、２２２、２２３の敏感度設定値は第一盗難防止レベル中に最高と設定することもでき、かつ該センサー部品２２１，２２２、２２３の敏感度設定値を該第三盗難防止レベル中において最低と設定することもできる。
さらに他の実施例では、該盗難防止ホスト機２１もまた２種、或いはさらに多種の盗難防止レベルに設定可能である。
【００１８】
本実施例では該警報装置２３はブザーで、該警報装置２４はウィンカーである、
本実施例において該センサー部品２２１は圧力センサーで、車内に設置され、該盗難防止ホスト機２１が盗難防止モードに入ると、該センサー部品２２１は車内圧力値の変化を察知し( ドアが開けられたことにより、車内の圧力が変化し、車外と同一になるなど) 、該センサー部品２２１は圧力感知信号を発する。しかも、該センサー部品２２１は圧力感知信号を該盗難防止ホスト機２１に伝送し、該盗難防止ホスト機２１に次の処理を行うよう通知する。
【００１９】
また本実施例では該センサー部品２２は震動センサーで、車上の各場所に背地され、車両に起きる異常な震動を感知する。例えば、該盗難防止ホスト機２１が盗難防止モードに入り、車の窓が割られると、該センサー部品２２２は車体の震動を感知し、震動感知信号を発する。しかも該センサー部品２２２は震動感知信号を該盗難防止ホスト機２１に伝送する。
【００２０】
さらに本実施例では該センサー部品２２３は傾斜センサーで、車体のシャーシに設置し、車両に異常な傾斜がないか否かを感知することができる。該盗難防止ホスト機２１が盗難防止状態に入り、もし車が牽引されなどすると、該センサー部品２２３は車体の傾斜を感知し、傾斜感知信号を発し、かつ該センサー部品２２３は該傾斜感知信号を該盗難防止ホスト機２１に伝送する。
【００２１】
本実施例においては、該圧力センサー、該震動センサー、該傾斜センサーを該センサー部品２２、２２２、２２３の例とするが、他の実施例では該センサー部品の個数及び種類は共に自動車オーナーの必要に応じて決めることができる。また、各自動車メーカーもそれぞれの車種に応じて各種センサー部品を提供することができる。
【００２２】
次に図２に示すように、該盗難防止ホスト機２１の記憶ユニット２２１は盗難防止レベル設定対照表２１１０を保存する。該対照表２１１０は３種の盗難防止レベル( Ｉ、ＩＩ、ＩＩＩ) を記載し、該各盗難防止レベル中には該センサー部品２２１、２２２、２３の敏感度設定値を含む。しかも該各敏感度の設定値はその内の１個のセンサー部品に対応し、該センサー部品が対応する盗難防止レベル時の臨界作動値を定義する。
【００２３】
例えば、該盗難防止ホスト機２１が第一盗難防止レベルの盗難防止モードに設定されているなら、本実施例中のセンサー部品２２１は圧力センサーである。よって、車のドアが開けられ車内の圧力と車外の圧力の差が０．３気圧(ａｔｍ) になると、該センサー部品２１１は圧力感知信号を発し、該圧力感知信号を該盗難防止ホスト機２１に伝送する。すなわち、該盗難防止ホスト機２１が第一レベルの盗難防止モードにあれば、震動センサーであるセンサー部品２２２はオフとなり、一切作動しない。
また、傾斜センサーであるセンサー部品２２３は自動車の傾斜が１５度である時に傾斜感知信号を発し、かつ該信号を該盗難防止ホスト機２１に伝送する。
【００２４】
上記から類推可能なように、該盗難防止ホスト機２１が第二盗難防止レベルの盗難防止モードにある時には、圧力センサーである該センサー部品２１１は自動車のドアが開けられ車内の圧力と車外の圧力の差が０．１気圧(ａｔｍ) になると圧力感知信号を発する。
また震動センサーである該センサー部品２２２は０．５Ｇの力を感知すると震動感知信号を発する。
また傾斜センサーである該センサー部品２２３は自動車の傾斜角度が１０度になると傾斜感知信号を発する。
一方、該盗難防止ホスト機２１が第三盗難防止レベルの盗難防止モードにある時には、圧力センサーである該センサー部品２１１は自動車のドアが開けられ車内の圧力と車外の圧力の差が０．０５気圧(ａｔｍ) になると圧力感知信号を発する。
また震動センサーである該センサー部品２２２は０．１Ｇの力を感知すると震動感知信号を発する。
また傾斜センサーである該センサー部品２２３は自動車の傾斜角度が５度になると傾斜感知信号を発する。
【００２５】
該記憶ユニット２１１は非揮発性メモリで、無電源状態でも該盗難防止レベル設定対照表２１０を保存可能である。また該記憶ユニット２１１は保存データを更新することもできるため、センサー部品を追加する或いはセンサー部品の臨界作動値を変えるなど自動車盗難防止システムが更新されると、該記憶ユニット２１１中の盗難防止レベル設定対照表２１０も更新される。
本実施例においては該記憶ユニット２１１はＥＰＲＯＭで、その他の実施例においてはＥＥＰＲＯＭ、ＯＴＰ  ＲＯＭ、フラッシュメモリ、ＭＡＳＫ ＲＯＭである。
【００２６】
さらに図１、２に示すように、該自動車オーナーが車を駐車し車を離れる時に該盗難防止リモコン１上の制御ボタン１１を押すことにより、該盗難防止リモコン１は制御信号を該盗難防止ホスト機２１に発信可能となる。該盗難防止ホスト機２１は該アンテナ２１０を通して該盗難防止リモコン１が送ってくるＲＦ制御信号を受信し、該盗難防止ホスト機２１は受信した制御信号と盗難防止レベル設定対照表２１０に基づき、該センサー部品２２１、２２２、２２３をある盗難防止レベルに設定する。
【００２７】
本実施例において該自動車オーナーが該制御ボタン１１を押すと、該盗難防止ホスト機２１はブザー２３を制御し警報音を発し、同時にウィンカー２４を制御し１回点滅させることができる。この時、該盗難防止リモコン１上のインジケーター１３１は発光し、自動車オーナーに現在、該盗難防止ホスト機２１が第一盗難防止レベルの盗難防止モードに設定されたことを知らせる。もし自動車オーナーが設定時間内( ３秒など) に再び該制御ボタン１１を押さなければ、該盗難防止ホスト機２１は直接第一盗難防止レベルの盗難防止モードに入り、かつ該盗難防止ホスト機２１は該センサー部品２２１、２２２、２２３を第一盗難防止レベルの盗難防止モードに設定する。また該センサー部品２２１、２２２、２２３の臨界作動値と該盗難防止レベル対照表２１０の盗難防止レベルの盗難防止モードの該臨界作動設定値は同一である。
【００２８】
もし自動車オーナーが１回目に該制御ボタン１１を押した後の設定時間(３秒など) 内に再び該制御ボタン１１を押すと、該盗難防止リモコン１は再度制御信号を該盗難防止ホスト機２１に送信する。この時、該盗難防止ホスト機２１はアンテナ２１０を通して制御信号を受信し、該ブザー２３を制御し警報音を発生させ、かつウィンカー２４を制御し１回点滅させる。該盗難防止ホスト機２１が設定時間内に２回の制御信号を受信すると、それは第二盗難防止レベルの盗難防止モードに設定される。別に該盗難防止リモコン１上のインジケーター１２３は発光し、該自動車オーナーに現在該盗難防止ホスト機２１が第二盗難防止レベルの盗難防止モードに設定されていることを知らせる。
【００２９】
上記説明と同様に、自動車オーナーが設定時間内(３秒など) に再度該制御ボタン１１を押さなければ、該盗難防止ホスト機２１は直接第二盗難防止レベルの盗難防止モードに入り、かつ該盗難防止ホスト機２１は該センサー部品２２１、２２２、２２３を第二盗難防止レベルの盗難防止モードの臨界作動値に設定する。
また自動車オーナーが２回目に該制御ボタン１１を押した後の設定時間(３秒など) 内に再び該制御ボタン１１を押したなら、該盗難防止リモコン１は第三盗難防止レベルの盗難防止モードに設定され、かつ該盗難防止ホスト機２１はブザー２３を制御し警報音を発し、該ウィンカー２４を制御し１回点滅させる。また、該盗難防止リモコン１上のインジケーター１３３は発光し、該自動車オーナーに現在該盗難防止ホスト機２１が第三盗難防止レベルの盗難防止モードに設定されていることを知らせる。
【００３０】
さらに上記説明と同様に、自動車オーナーが設定時間内(３秒など) に再度該制御ボタン１１を押さなければ、該盗難防止ホスト機２１は直接第三盗難防止レベルの盗難防止モードに入り、かつ該盗難防止ホスト機２１は該センサー部品２２１、２２２、２２３を第三盗難防止レベルの盗難防止モードの臨界作動値に設定する。
本実施例の該盗難防止ホスト機２１は３種の異なる盗難防止レベルの盗難防止モードに設定可能であるため、自動車オーナーが３回目に該制御ボタン１１を押した後の設定時間(３秒など) 内に再び該制御ボタン１１を押したなら、該盗難防止リモコン１は第三盗難防止レベルの盗難防止モードに設定され、かつ該盗難防止ホスト機２１はブザー２３を制御し警報音を発し、該ウィンカー２４を制御し１回点滅させる。
また他の実施例では、該盗難防止ホスト機２１は２種或いはさらに数種の異なる盗難防止レベルの盗難防止モードを設定可能とし、該盗難防止ホスト機２１が最高の盗難防止レベルの盗難防止モードに設定された時、使用者は再度予定の時間内に該制御ボタン１１を押すと、該盗難防止ホスト機２１は最高の盗難防止レベルの盗難防止モードを継続し維持する。
【００３１】
別の実施例では、該盗難防止ホスト機２１は最高レベルの盗難防止モードに設定されている時には、使用者が再度設定時間内に該制御ボタン１１を押すと、該盗難防止ホスト機２１は受信した制御信号の回数に応じて、該盗難防止ホスト機２１が最低レベルの盗難防止モードに設定されるまで順番により低レベルの盗難防止モードに設定される。もし使用者が設定時間内に該制御ボタンを押すと、該盗難防止ホスト機２１は再度順番に盗難防止レベルをより高レベルの盗難防止モードに設定する。
【００３２】
次に図３に示すように、本発明第二実施例の盗難防止リモコン３と盗難防止ホスト機３１は盗難防止リモコン３上に制御ボタン３１、３２、３３、及び制御ボタン３４、インジケーター３３１、３３２、３３３を含む。該盗難防止ホスト機３１は記憶ユニット３１１を包含し、該盗難防止ホスト機３１はそれぞれ該センサー部品３２１、３２２、３２３、警報器３３、３４と電気的に接続する。
【００３３】
本実施例においては、上記部品と全体の作動過程はおよそ第一実施例と同様であるが、その相違点は、該盗難防止ホスト機３１上に制御ボタン３１、３２、３３を包含し、該制御ボタン３１、３２、３３を押すことによりある盗難防止レベルを選択し設定可能な点で、こうして、該盗難防止ホスト機３１は選択された盗難防止レベルの盗難防止モードに入ることができる。
【００３４】
例えば、該制御ボタン３１が該盗難防止ホスト機３１を第一盗難防止レベルに設定するボタンなら、該制御ボタン３２は該盗難防止ホスト機３１を第二盗難防止レベルに設定するボタンで、該制御ボタン３３は該盗難防止ホスト機３１を第三盗難防止レベルに設定するボタンである。
よって、自動車オーナーは該盗難防止リモコン３の制御ボタン３１を押すと、該盗難防止リモコン３上のインジケーター３３１は点灯し、自動車オーナーに該盗難防止ホスト機３１が第一盗難防止レベルの盗難防止モードに設定されたことを知らせ、該盗難防止リモコン３は制御信号を該盗難防止ホスト機３１に送信し、該盗難防止ホスト機３１は該制御信号を受信後、該制御信号に基づき、該感知部品３２１、３２２、３２３を第一盗難防止レベルの盗難防止モードに設定する。
【００３５】
同様に自動車オーナーが該盗難防止リモコン３の制御ボタン３２を押すと、該盗難防止リモコン３上のインジケーター３３２は点灯し、自動車オーナーに該盗難防止ホスト機３１が第二盗難防止レベルの盗難防止モードに設定されたことを知らせ、該盗難防止リモコン３は制御信号を該盗難防止ホスト機３１に送信し、該盗難防止ホスト機３１は該制御信号を受信後、該制御信号に基づき、該感知部品３２１、３２２、３２３を第二盗難防止レベルの盗難防止モードに設定する。
もし自動車オーナーが該制御ボタン３３を押すと、該盗難防止リモコン３上のインジケーター３３３は点灯し、自動車オーナーに該盗難防止ホスト機３１が第三盗難防止レベルの盗難防止モードに設定されたことを知らせ、該盗難防止リモコン３は制御信号を該盗難防止ホスト機３１に送信し、該盗難防止ホスト機３１は該制御信号を受信後、該制御信号に基づき、該感知部品３２１、３２２、３２３を第三盗難防止レベルの盗難防止モードに設定する。
自動車オーナーが該解除ボタン３４を押すと、該盗難防止ホスト機３１は非盗難防止モードに設定される。
【００３６】
すなわち該盗難防止リモコン３の制御ボタン３１、３２、３３が押されると、該盗難防止リモコンが発する制御信号は異なるため、該盗難防止ホスト機３１は異なる制御信号に基づき異なる盗難防止レベルの盗難防止モードに設定される。
【図面の簡単な説明】
【００３７】
【図１】本発明第一実施例の機能ブロックチャートである。
【図２】本発明第一実施例の記憶ユニットに保存する内容の指示図である。
【図３】本発明第二実施例の機能ブロックチャートである。
【符号の説明】
【００３８】
１、３  盗難防止リモコン
１１、３１、３２、３３  制御ボタン
１２、３４  解除ボタン
１３１、１３２、１３３、３３１、３３２、３３３  インジケーター
２１、３１  盗難防止ホスト機
２１１、３１１  記憶ユニット
２１０  アンテナ
２２１、２２２、２２３、３２１、３２２、３２３  センサー部品
２３、２４、３３、３４  警報装置
２１１０  盗難防止レベル設定対照表
【図１】
2007030863.tif 000003
【図２】
2007030863.tif 000004
【図３】
2007030863.tif 000005